(57)【要約】【課題】  撮影した位置情報の精度や信憑性を容易に推定することができなかった。【解決手段】  画像データに関連付けられた位置情報を決定する際に用いられた衛星の種類を示す情報が、画像データに関連付けられているか否かを判断し、判断の結果に応じて、画像データに関連付けられている位置情報がどのような種類の衛星を利用して決定されたのかを示す情報を、衛星の種類を識別可能な態様で表示するよう制御する。【選択図】  図１２
2015152398.tif 000002
【特許請求の範囲】
【請求項１】
位置情報が関連付けられた画像データを保持する保持手段と、
前記保持手段により保持されている画像データに関連付けられた位置情報を決定する際に用いられた衛星の種類を示す情報が、前記画像データに関連付けられているか否かを判断する判断手段と、
前記判断手段による判断の結果に応じて、前記画像データに関連付けられている位置情報がどのような種類の衛星を利用して決定されたのかを示す情報を、前記衛星の種類を識別可能な態様で表示するよう制御する表示制御手段とを有することを特徴とする表示制御装置。
【請求項２】
前記位置情報を決定するために利用した衛星の種類が複数ある場合、それぞれの衛星の種類を、前記位置情報の決定に利用した数に基づく順番で表示するよう制御することを特徴とする請求項１に記載の表示制御装置。
【請求項３】
前記位置情報を決定するために利用した衛星に準天頂衛星が含まれる場合、前記準天頂衛星の種類を示す情報を、他の衛星の種類よりも優先して表示するよう制御することを特徴とする請求項１または２に記載の表示制御装置。
【請求項４】
前記判断手段は更に、前記保持手段により保持されている画像データに関連付けられた位置情報がどのような方法で決定されたのかを示す測位方式情報が、前記画像データに関連付けられているか否かを判断し、
前記衛星の種別を示す情報が、前記画像データに関連付けられているか否かの判断は、前記測位方式情報が衛星を利用して位置情報を決定したことを示す情報であると判断した後に実行されることを特徴とする請求項１乃至３のいずれか１項に記載の表示制御装置。
【請求項５】
前記表示制御手段は、前記判断手段による判断の結果に応じて、前記画像データに関連付けられている位置情報がどのような方法で決定されたのかを示す測位方式情報を、前記位置情報を決定した方法の種別を識別可能な態様で、前記画像データと同一の画面に表示するよう制御することを特徴とする請求項４に記載の表示制御装置。
【請求項６】
前記保持手段は、前記位置情報が関連付けられていない画像データも保持し、
前記表示制御手段は、前記位置情報が関連付けられている画像データと、前記位置情報が関連付けられていない画像データとを、区別可能な態様で表示するよう制御することを特徴とする請求項４または５に記載の表示制御装置。
【請求項７】
前記表示制御手段は、前記画像データに複数の測位方式情報が関連付けられている場合、前記複数の測位方式情報に対応する複数のアイコンを表示するよう制御することを特徴とする請求項４乃至６のいずれか１項に記載の表示制御装置。
【請求項８】
前記表示制御手段は、前記保持手段により保持されている複数の画像データのうちの少なくとも一部を、一覧表示するよう制御することを特徴とする請求項１乃至５のいずれか１項に記載の表示制御装置。
【請求項９】
前記表示制御手段は、前記表示制御装置が再生モードに遷移することに応じて、前記判断手段による判断を実行させることを特徴とする請求項１乃至８のいずれか１項に記載の表示制御装置。
【請求項１０】
被写体を撮像して画像データを生成する撮像手段を更に有し、
前記保持手段は、前記撮像手段により生成された画像データを保持することを特徴とする請求項１乃至９のいずれか１項に記載の表示制御装置。
【請求項１１】
外部装置から、位置情報が関連付けられた画像データを受信する受信手段を更に有し、
前記保持手段は、前記受信手段により受信された画像データを保持することを特徴とする請求項１乃至１０のいずれか１項に記載の表示制御装置。
【請求項１２】
位置情報が関連付けられた画像データを保持する保持工程と、
前記保持されている画像データに関連付けられた位置情報を決定する際に用いられた衛星の種類を示す情報が、前記画像データに関連付けられているか否かを判断する判断工程と、
前記判断工程での判断の結果に応じて、前記画像データに関連付けられている位置情報がどのような種類の衛星を利用して決定されたのかを示す情報を、前記衛星の種類を識別可能な態様で表示するよう制御する表示制御工程とを有する表示制御装置の制御方法。
【請求項１３】
コンピュータを、請求項１乃至１１のいずれか１項に記載の表示制御装置として機能させるためのプログラム。
【発明の詳細な説明】
【技術分野】
【０００１】
本発明は位置情報が関連付けられている画像を扱うことが可能な表示制御装置に関する。
【背景技術】
【０００２】
近年のデジタルカメラやカメラ付き携帯端末の中には、ＧＰＳ受信機など、衛星測位システム（例えばＧＮＳＳ：Ｇｌｏｂａｌ  Ｎａｖｉｇａｔｉｏｎ  Ｓａｔｅｌｉｔｅ  Ｓｙｓｔｅｍ）を用いた測位手段を備えたものが知られている。このような機器では、撮影して得られた画像データに関連付けて、撮影位置情報を記録することが出来る。また、このようにして得られた位置情報付きの画像データを利用する様々なパーソナルコンピュータアプリケーションが普及してきている。例えば、特許文献１では、表示する画像データの属性情報に位置情報が記録されているか否かを示すアイコンを表示することによって、位置情報が記録されている画像データと位置情報が記録されていない画像データを区別する技術が開示されている。
【先行技術文献】
【特許文献】
【０００３】
【特許文献１】特開２００７−３２３５４３号公報
【発明の概要】
【発明が解決しようとする課題】
【０００４】
しかしながら、上記既存の技術では、画像データに位置情報が記録されているか否かはわかるものの、その精度まで判断することはできない。
【０００５】
位置情報の測位方式には複数種類存在する。例えば、衛星測位システムからの電波を受信できる受信機を搭載したデジタルカメラの場合、衛星から信号を受信できる状況下において、上記信号によって取得した位置情報を画像データの属性情報として記録する。また、無線ＬＡＮを搭載したデジタルカメラや携帯端末の場合は、最寄りの無線基地局から取得した位置情報を、画像データに記録することが可能となっている。それ以外としては、位置情報が記録されていない画像データに、操作部による手操作で任意の位置情報を記録する場合もある。当然、手操作であるが故に誤った位置情報を入力することもある。
【０００６】
更に、衛星測位システムを利用する場合は、衛星からの電波を用いている関係上、受信機のいる環境や衛星の種類、配置、数などによって位置情報の精度に大きく影響する。
【０００７】
上記の通り、位置情報そのものには、その精度、又は、信憑性という観点からも幾つも存在することとなり、それを確認できるようにするためには、単に位置情報の有無を判別できるだけでは不十分であると言わざるをえない。
【０００８】
そこで、本発明は、ユーザが、撮影した位置情報の精度や信憑性を容易に推定することを可能とすることを目的とする。
【課題を解決するための手段】
【０００９】
上記目的を達成するために、本願発明の表示制御装置は、位置情報が関連付けられた画像データを保持する保持手段と、前記保持手段により保持されている画像データに関連付けられた位置情報を決定する際に用いられた衛星の種類を示す情報が、前記画像データに関連付けられているか否かを判断する判断手段と、前記判断手段による判断の結果に応じて、前記画像データに関連付けられている位置情報がどのような種類の衛星を利用して決定されたのかを示す情報を、前記衛星の種類を識別可能な態様で表示するよう制御する表示制御手段とを有することを特徴とする。
【発明の効果】
【００１０】
本発明によれば、ユーザが、撮影した位置情報の精度や信憑性を容易に推定することが可能となる。
【図面の簡単な説明】
【００１１】
【図１】第１の実施形態におけるデジタルカメラのブロック図
【図２】第１の実施形態における衛星を利用した測位の様子を説明するための図
【図３】（ａ）、（ｂ）第１の実施形態における画像ファイルの構造を示す概念図
【図４】（ａ）、（ｂ）、（ｃ）第１の実施形態におけるデジタルカメラの表示部に表示される画面の一例を示す図
【図５】第１の実施形態におけるデジタルカメラの動作を示すフローチャート
【図６】第１の実施形態におけるデジタルカメラの動作を示すフローチャート
【図７】（ａ）、（ｂ）、（ｃ）第１の実施形態におけるデジタルカメラの表示部に表示される画面の一例を示す図
【図８】（ａ）、（ｂ）、（ｃ）第１の実施形態におけるデジタルカメラの表示部に表示される画面の一例を示す図
【図９】第１の実施形態におけるデジタルカメラの表示部に表示される画面の一例を示す図
【図１０】第２の実施形態におけるデジタルカメラの表示部に表示される画面の一例を示す図
【図１１】第２の実施形態におけるデジタルカメラの動作を示すフローチャート
【図１２】（ａ）、（ｂ）第３の実施形態におけるデジタルカメラの表示部に表示される画面の一例を示す図
【図１３】第４の実施形態におけるデジタルカメラの表示部に表示される画面の一例を示す図
【発明を実施するための形態】
【００１２】
以下に、本発明を実施するための形態について、添付の図面を用いて詳細に説明する。
【００１３】
なお、以下に説明する実施の形態は、本発明の実現手段としての一例であり、本発明が適用される装置の構成や各種条件によって適宜修正又は変更されてもよい。また、各実施の形態は適宜組み合わされることも可能である。
【００１４】
［第１の実施形態］
＜デジタルカメラ１００の内部構成＞
図１は、本実施形態の画像処理装置の一例であるデジタルカメラ１００の構成例を示すブロック図である。なお、ここでは画像処理装置の一例としてデジタルカメラについて述べるが、画像処理装置はこれに限られない。例えば画像処理装置は、携帯電話や、タブレットデバイス、パーソナルコンピュータなどの情報処理装置であってもよいし、カメラ付き携帯電話等の撮像装置であってもよい。
【００１５】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１６】
撮像部１０２は、撮像部１０２に含まれるレンズで結像された被写体光を電気信号に変換し、ノイズ低減処理などを行いデジタルデータを画像データとして出力する。撮像した画像データはバッファメモリに蓄えられた後、制御部１０１にて所定の演算を行い、記録媒体１１０に記録される。
【００１７】
不揮発性メモリ１０３は、電気的に消去・記録可能な不揮発性のメモリであり、制御部１０１で実行される後述のプログラム等が格納される。
【００１８】
作業用メモリ１０４は、撮像部１０２で撮像された画像データを一時的に保持するバッファメモリや、表示部１０６の画像表示用メモリ、制御部１０１の作業領域等として使用される。
【００１９】
操作部１０５は、ユーザがデジタルカメラ１００に対する指示をユーザから受け付けるために用いられる。操作部１０５は例えば、ユーザがデジタルカメラ１００の電源のＯＮ／ＯＦＦを指示するための電源ボタンや、撮像を指示するためのレリーズスイッチ、画像データの再生を指示するための再生ボタンなどの操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮像準備を行うための指示を受け付ける。また、レリーズスイッチが、いわゆる全押し状態となることにより、ＳＷ２がＯＮとなる。これにより、撮像を行うための指示を受け付ける。
【００２０】
表示部１０６は、撮像の際のビューファインダー画像の表示、撮像した画像データの表示、対話的な操作のための文字表示などを行う。なお、表示部１０６は必ずしもデジタルカメラ１００が備える必要はない。デジタルカメラ１００は表示部１０６と接続することができ、表示部１０６の表示を制御する表示制御機能を少なくとも有していればよい。
【００２１】
位置取得部１０８は、測位処理を行う。測位処理とは、衛星から信号を受信し、受信した信号からデジタルカメラ１００の位置を示す位置情報を算出する処理である。本実施形態では、位置情報は、緯度・経度の座標で表される。
【００２２】
図２は、本発明の実施形態にかかわる、複数種類の衛星により測位を行う様子を示した図である。位置取得部１０８は、米国のＧＰＳ衛星２０１のみならず、ロシアのＧＬＯＮＡＳＳ衛星２０２、日本のＱＺＳＳ衛星（みちびき）２０３、中国のコンパス衛星２０４、ヨーロッパのガリレオ衛星２０５等、複数種類の衛星を用いて測位を行ことが可能である。これらの衛星は、通常、種類毎に複数の衛星が運用されているため、図２のように、各種類１機ずつ使用するのではなく、それぞれ複数機の衛星を使用してもよい。また、地球上の地域によっては、測位が不可能な衛星もあるし、ビルの谷間などの環境によっても、測位に使用できない衛星もあるので、測位に使用できる衛星の種類と数は、その状況によって異なる。場合によってはどれか１種類の衛星しか使用できない場合もあるが、この場合においても、複数機の衛星が使用可能であれば、測位は可能である。
【００２３】
たとえば、日本において、電波状況の良い平地で測位した場合には、ＧＰＳ衛星が７機、ＧＬＯＮＡＳＳ衛星が５機、ＱＺＳＳ衛星が１機の、計１３機の衛星を用いて測位できたとする。この程度の衛星数があれば、測位精度としても、１０ｍ以下程度の非常に良好な精度が得られる。一方、ビルの谷間で測位した場合には、ＧＰＳ衛星が３機、ＧＬＯＮＡＳＳ衛星が１機の、計４機の衛星しか用いることができない場合も考えられる。この場合は、測位精度としても１００ｍ以上のずれがあることがあり、正確な場所を特定できない。さらに、衛星の種類によって、衛星の軌道情報の精度や衛星が持つ時計精度等の違いによって、測位精度が異なることもある。このように、衛星の種類や数は、測位精度を予想するうえで重要な情報である。
【００２４】
位置取得部１０８が測位を行うと、ＮＭＥＡフォーマット等の形式で、定期的に制御部１０１に位置情報を送信する。この位置情報の中には、測位に使用した衛星の種類、および、衛星の種類毎の衛星数の情報も含まれる。電波状況の関係で測位できない場合においても、位置情報は制御部１０１に送信される。この場合には、測位できない旨を示す情報が送信されることになる。
【００２５】
制御部１０１は、位置情報を定期的に作業用メモリ１０４に保存する。既に位置情報が保存されている場合は、新たな位置情報に更新する。これにより、作業用メモリ１０４には常に、最新の位置情報が保持されることになる。このようにして保持している位置情報は、撮像部１０２を用いた撮像により画像データが生成されることに応じて読みだされ、撮像位置を示す情報として、生成された画像データと共に記録媒体に記録される。
【００２６】
なお位置取得部１０８は、上述の衛星からの電波を受信して測位を行う機能に加え、例えば携帯電話の基地局といった外部装置などから位置情報や日時情報を取得する機能を有していてもよい。あるいは、公衆無線ＬＡＮアクセスポイントからの信号を受信し、その信号に基づき位置情報を取得する機能を有していてもよい。また、これらは機能別に個々の装置・モジュールで実現してもよい。
【００２７】
記録媒体１１０は、撮像部１０２から出力された画像を記録することができる。本実施形態では、画像をＥｘｉｆ−ｊｐｅｇの形式で扱う。記録媒体１１０は、デジタルカメラ１００に着脱可能なよう構成してもよいし、デジタルカメラ１００に内蔵されていてもよい。すなわち、デジタルカメラ１００は少なくとも記録媒体１１０にアクセスする手段を有していればよい。
【００２８】
＜画像ファイルの構造＞
図３（ａ）は、本実施形態にかかわる画像ファイルの構造を示す図である。画像データファイル３００は、画像データにかかわる情報を記録した画像ヘッダ部３０１と、画像データ本体である画像データ部３０３とに分かれている。画像ヘッダ部３０１の中には、測位情報部３０２が含まれ、この中に、撮影位置情報が記録される。撮影位置情報としては、緯度、経度、高度、測位日、測位時刻（ＵＴＣ時刻）のほかに、測位に使用した衛星の種類、および、衛星の種類毎の衛星数も含まれる。
【００２９】
図３（ｂ）は、測位情報部３０２のデータ種類、データ構造の一例である。まず、測位情報部のデータの先頭に、測位データが有効か無効かを示すフラグが保存される。測位データが無効の場合には、後に続くデータは意味のない値となる。測位データが有効の場合には、後に有効なデータが続く。
【００３０】
有効／無効フラグの直後には、方位データを保存する。北を０°、東を９０°として、１°刻みで０°〜３５９°の数字で撮影方位を表す２バイトのデータである。次に、４バイトの高度データを保存する。高度データは、マイナスの値も取り得る。次に、緯度と経度のデータを保存する。緯度と経度は、ＷＧＳ８４等の測地系であらわされるデータで、それぞれ８バイトのデータである。さらに、それぞれ４バイトの、測位日、ＵＴＣ時刻データを保存する。この後、上記の情報がどのような手段によって取得されたのかを示す測位方式情報を保存する。なお、必ずしもすべてのデバイスが測位方式情報を記述する機能を有しているとは限らず、地点情報のみを画像データに記述するデバイスもある。
【００３１】
本実施形態における測位方式情報は４種類の値をとり得る。測位方式情報の１つ目はＣＥＬＬＩＤである。これは携帯電話の基地局情報を用いた測位方法である。携帯電話基地局からの現在位置の取得は、次のような方法が存在する。例えば、携帯電話が通信している基地局の位置をそのまま携帯電話の現在位置とする方法や、複数の基地局からの電波の到達時間差と各基地局の設置位置から現在位置を推定する方法などである。
【００３２】
測位方式情報の２つ目はＷＬＡＮである。これは無線ＬＡＮを用いた測位方法である。無線ＬＡＮからの現在位置の取得は、次のように行う。単数または複数の無線ＬＡＮアクセスポイントからの電波を受信し、それぞれの電波の強度とアクセスポイントの設置位置から、現在位置を推定する。
【００３３】
測位方式情報の３つ目はＧＰＳである。これは複数の衛星から情報を受信し、自機の現在位置を算出する方法であり、図２を用いて説明した通りである。なお、ここでは衛星を利用する方法を代表して「ＧＰＳ」という文字列を測位方式情報として採用する場合を例に挙げて説明するが、これに限るものではなく、衛星を利用していることが解ればどのような情報でもよい。
【００３４】
測位方式情報の４つ目はＭＡＮＵＡＬである。これは一般に、ユーザが手動で位置情報を入力したことを示す。この値が入力される場合は実装に依存する部分が大きいが、例えば緯度・経度を直接入力した場合や、ユーザ操作により地図の特定の箇所が指定されることで緯度・経度を入力した場合などに用いることが考えられる。
【００３５】
ここで、近年のカメラ付きの携帯電話などは、複数の測位方式を組み合わせてより精度の高い地点情報を得る、いわゆるハイブリッド型の測位を行うものもある。本実施形態では、このような場合には、利用した測位方式をすべて測位方式情報に付加することとした。つまり、ＧＰＳと無線ＬＡＮのアクセスポイントの情報とに基づいて測位情報を決定した場合、測位方式情報は「ＧＰＳ  ＷＬＡＮ」となる。なお、本実施形態では、測位方式は測位情報の決定する際に寄与の大きな測位方式の順に記述されるものとする。寄与の大きさは、例えばそれぞれの測位における誤差の少なさと予め定められた測位方式そのものの信頼性に基づき算出される。前述の「ＧＰＳ  ＷＬＡＮ」の例ではＧＰＳによる測位方式の方が、携帯電話の無線ＬＡＮを用いた測位方式よりも寄与が大きいことを示す。本実施形態では、第１の測位方式情報、第２の測位方式情報の２つを記述できるものとして処理するが、もちろん３つ以上記述できるようにしてもよい。
【００３６】
更に、測位方式情報に、衛星を利用したことを示す情報が保存される場合には、測位に用いた、それぞれ種類の衛星数の情報を保存する。ここでは、ＧＰＳ衛星、ＧＬＯＮＡＳＳ衛星、ＱＺＳＳ衛星、ガリレオ衛星、コンパス衛星のデータを保存している。それぞれ、１バイトのデータであり、データが０（ゼロ）の場合には、その種類の衛星は、測位に用いていないことを表す。
【００３７】
＜画面表示＞
次に、本実施形態における画像データの表示方法について説明する。図４（ａ）は、本装置において再生モードに遷移した場合に表示部１０６に表示される画面の一例を示している。
【００３８】
図４（ａ）では、記録媒体１１０に記憶された画像データＩｍａｇｅ１〜Ｉｍａｇｅ１２が一覧表示される様を示している。この画像は、例えば撮像部１０２によって生成したものや、接続部１１１を介して他のデジタルカメラや携帯電話などから取得したものである。また、接続部１１１を介して、ネットワーク上のサーバなどからダウンロードしたものであってもよい。また、画像データ本体を用いず、画像データのサムネイルを用いることも可能である。
【００３９】
表示切替ボタン４０１は、位置情報に関する情報の表示を切り替えるためのボタンである。図４（ａ）の状態で表示切り替えボタン４０１が指定されると、図４（ｂ）の画面に遷移する。なお、この指定については、例えば表示部１０６上に設けられたタッチパネルを介して、ボタン４０１の領域へのタッチを受け付けることで指定される。あるいは、操作部１０５に含まれる方向キーやダイヤル等が操作されることによって選択状態になり、その状態でセットボタンが押下されることで指定を受け付けてもよい。
【００４０】
図４（ｂ）に示すように、位置情報が関連付けられた画像データについては「ピン」の形状をしたアイコン（以下、ピンアイコン）を、その画像のサムネイルに重畳して表示する。すなわち、ピンアイコンは、測位情報部を有する画像ファイルに対して表示されるものである。この画面の例は、Ｉｍａｇｅ１、３、４、６、７、８、１０、１１に位置情報として緯度・経度情報が記述されていることを示している。このように、図４（ｂ）の状態では、位置情報が関連付けられた画像データと、位置情報が関連付けられていない画像データとが区別可能に表示される。もちろんピンアイコンは必ずしもサムネイルに全体が重畳する必要はなく、測位情報部を有する／有さない画像ファイルが区別が付けばよいので、ピンアイコンの一部を重畳させたり、画像データにサムネイルに重畳させなくとも、近傍に表示しても構わない。なお、この画面では測位方式情報にかかわらず、緯度・経度情報が記述されている画像データにはピンアイコンが重畳表示される。この画面を確認することで、ユーザはどの画像データに位置情報が付加されているかを容易に確認することができる。
【００４１】
図４（ｂ）の状態で更に、表示切り替えボタン４０１が指定されると、図４（ｃ）の画面に遷移する。図４（ｃ）の画面に示すように、それまでのピンアイコンに変えて、測位方式に応じたアイコンに変化することで、測位法が識別可能となる。例えばＩｍａｇｅ１、４、１０、１１は衛星を示すアイコン（以下、衛星アイコン）が重畳表示される。これは測位方式情報が「ＧＰＳ」、つまり衛星を用いて地点情報を得た画像データであることを示すためである。なお、図４（ｃ）では、Ｉｍａｇｅ１とＩｍａｇｅ１０はＧＰＳを示す衛星アイコンが表示され、Ｉｍａｇｅ４はＧＬＯＮＡＳＳを示す衛星アイコンが、Ｉｍａｇｅ１１はみちびきを示す衛星アイコンが表示されている。ここでは、測位に関して最も寄与した衛星のアイコンを示すようにしている。ここで、最も寄与することを判断する基準としては、例えば測位に利用した衛星の数が多いほど寄与していると判断する。なお、ＱＺＳＳ衛星（みちびき）や、コンパス衛星のような準天頂衛星はサービスの利用範囲が限られるものの、サービスの範囲内では電波が遮蔽される可能性が相対的に低いため、ＧＰＳやＧＬＯＮＡＳＳだけで測位した場合に比べて精度が向上する。故に、準天頂衛星が測位に利用されている場合は、数に関わらず、準天頂衛星のアイコンを表示する。
【００４２】
また、Ｉｍａｇｅ６、８は電波を示すアイコン（以下、無線ＬＡＮアイコン）が重畳表示される。これは測位方式情報が「ＷＬＡＮ」、つまり無線ＬＡＮを用いて地点情報を得た画像データであることを示すためである。Ｉｍａｇｅ７は手を示すアイコン（以下、手動アイコン）が重畳表示される。これは測位方式情報が「ＭＡＮＵＡＬ」、つまり手動で地点情報を得た画像データであることを示す。Ｉｍａｇｅ３はピンアイコンのままである。これは、測位方式情報が記述されていない画像データを示す。なお、測位方式情報が「ＣＥＬＬＩＤ」である画像データの場合は、ピンアイコン、衛星アイコン、無線ＬＡＮアイコン、手動アイコンのいずれとも異なるアイコン（以下、セルアイコン）を重畳表示することは言うまでもない。
【００４３】
以上述べたように、図４（ｃ）の画面では、測位方式に応じたアイコンを画像データに重畳表示する。更に、衛星を利用している場合には、利用した衛星の種類も表示する。このことにより、ユーザはどの画像データの位置情報がどのようにして測位されたかを容易に確認することができる。なお、図４（ｃ）の表示画面にて、表示切り替えボタン４０１を指定すると、図４（ａ）の画面に推移するものとする。すなわち、表示切り替えボタン４０１を指定する度に、上記３種類の表示画面が順に切り換わる。
【００４４】
＜デジタルカメラの動作＞
続いて、図５を用いて、本実施例におけるデジタルカメラ１００における画像の一覧表示について説明する。図５は、画像を一覧表示する際のデジタルカメラ１００の動作を示すフローチャートである。このフローチャートに示される処理は、デジタルカメラ１００が再生モードに遷移する指示を受け付けたことに応じて開始される。
【００４５】
まず、制御部１０１は、Ｓ１０１において、記録媒体１１０内に格納された画像ファイルを解析し、そのサムネイルを図４（ａ）に示すような一覧形式で表示部１０６に表示する。この時点では、まだ位置に関するアイコンはサムネイル画像に重畳表示されない。
【００４６】
Ｓ５０２において、制御部１０１は切り替えボタン４０１が指定されたかを判断する。制御部１０１が、切り替えボタン４０１の指定を検出した場合、制御部１０１は処理をＳ５０３に進める。Ｓ５０３では、表示対象の画像データファイルを解析し、それぞれに測位情報部が記録されているかを判断する。測位情報部が記述されていると判断した場合は処理をＳ５０４に、記録されていないと判断した場合は処理をＳ５０５に進める。Ｓ５０４では、ピンアイコンを重畳した、画像データのサムネイルを表示する。一方、測位情報部を持たない画像データファイルについては、この処理は行わない。これらの処理をＳ５０５ですべての表示対象に対して行ったと判断されるまで繰り返す。Ｓ５０３〜Ｓ５０５の処理が行われると、画面は図４（ｂ）のようになる。
【００４７】
Ｓ５０６において、制御部１０１は切り替えボタン４０１が操作されるのを待つ。切り替えボタン４０１に対する操作を検出すると、処理をＳ５０７に進める。このＳ５０７では、制御部１０１は、表示対象の画像データファイルに測位情報部が記録されているかを判断する。記録されていると判断した場合は処理をＳ５０８に、記録されていないと判断した場合は処理をＳ５０９に進める。
【００４８】
Ｓ５０８において、制御部１０１は、測位情報部が記述された測位方式に対応するアイコンを、その画像ファイルのサムネイルに重畳して、表示する。この表示方法については後述する。測位情報が記録されていない画像ファイルにはこの処理は行わない。これらの処理をＳ５０９ですべての表示対象に対して行ったと判断されるまで繰り返す。
【００４９】
図５のＳ５０８における処理の詳細を、図６のフローチャートを参照して以下に説明する。この処理は、着目画像ファイルが測位情報部を有する場合の処理であることに注意されたい。
【００５０】
先ず、Ｓ６０１にて、制御部１０１は、着目画像ファイルを解析し、測位方式の記述があるか否かを判断する。測位方式が記録されていると判断した場合はＳ６０２に進む。また、Ｓ６０１にて、測位方式が記録されていないと判断した場合は、Ｓ６１１に処理を進める。
【００５１】
Ｓ６０２では、制御部１０１は着目画像ファイルのヘッダ情報のうち、測位方式情報を参照し、その画像データの１つ目の（最初に記述されている）測位方式情報が「ＧＰＳ」か否か、つまり測位方式が衛星を用いたものであるか否かを判断する。「ＧＰＳ」であると判断した場合はＳ６０３に進む。
【００５２】
Ｓ６０３では、制御部１０１は、測位に用いた衛星の数を読み出し、準天頂衛星が測位に用いられているか否かを判断する。本実施形態の場合では、ＱＺＳＳ衛星、またはコンパス衛星が用いられているか否かを判断する。
【００５３】
Ｓ６０３にて制御部１０１が、準天頂衛星が測位に用いられていると判断した場合、処理はＳ６０４に進む。Ｓ６０４では、制御部１０１は、準天頂衛星のうち、測位に用いた衛星の数が最も多い衛星の種類を、最も優先して表示すべき衛星の種類として決定する。
【００５４】
一方、Ｓ６０３にて制御部１０１が、準天頂衛星が測位に用いられていないと判断した場合、処理はＳ６０５に進む。Ｓ６０５では、制御部１０１は、測位に用いた衛星の数が最も多い衛星の種類を、最も優先して表示すべき衛星の種類として決定する。
【００５５】
Ｓ６０４またはＳ６０５の処理が完了すると、制御部１０１はＳ６０６にて、決定した衛星の種類を示すアイコンをサムネイル画像上に重畳して表示する。
【００５６】
また、Ｓ６０２にて制御部１０１が、「ＧＰＳ」でないと判断した場合、処理はＳ６０７に進む。Ｓ６０７では、制御部１０１は画像データの１つ目の測位方式情報が「ＷＬＡＮ」か否か、つまり画像データの１つ目の測位方式が無線ＬＡＮを用いたものであるか否かを判断する。Ｓ６０７で「ＷＬＡＮ」であると判断した場合は、処理をＳ６０８に進める。Ｓ６０８では、ピンアイコンに代えて無線アイコンを、着目画像ファイルのサムネイルに重畳表示する。一方、Ｓ６０７にて、「ＷＬＡＮ」でないと判断した場合は、制御部１０１は処理をＳ６０９に進める。
【００５７】
Ｓ６０９では、制御部１０１は画像データの１つ目の測位方式情報が「ＭＡＮＵＡＬ」か否か、つまり画像データの地点情報が手動で付与されたものであるか否かを判断する。Ｓ６０９で「ＭＡＮＵＡＬ」であると判断した場合は、Ｓ６１０に進む。Ｓ６１０では、ピンアイコンに代えて手動アイコンを着目画像ファイルのサムネイルに重畳表示し、Ｓ６１１に進める。また、Ｓ６０９にて、「ＭＡＮＵＡＬ」でないと判断した場合は、制御部１０１は処理をＳ６１１に進める。
【００５８】
Ｓ６１１では、制御部１０１は着目画像ファイルの１つ目の測位方式情報が「ＣＥＬＬＩＤ」か否か、つまり画像データの地点情報が携帯電話の基地局を用いて付与されたものであるか否かを判断する。「ＣＥＬＬＩＤ」であると判断した場合は、Ｓ６１２に進む。Ｓ６１２では、ピンアイコンに代えてセルアイコンを着目画像ファイルのサムネイルに重畳表示する。また、Ｓ６１１で「ＣＥＬＬＩＤ」でないと判断した場合は、Ｓ６１３に進む。
【００５９】
Ｓ６１３では、ピンアイコンを着目画像ファイルのサムネイルに重畳表示する。なお、Ｓ６１１にて、着目画像ファイルの１つ目の測位方式情報が「ＣＥＬＬＩＤ」でないと判断した場合、測位情報部は記録されているものの、未知の測位方式が記述されているものと判定してもよい。この場合、未知の測位方式を示すアイコンを、ピンアイコンに代って重畳表示するようにしてもよいし、場合によっては重畳表示しないようにしてもよい。以上の結果、図４（ｃ）に示す画面を表示することが可能になる。
【００６０】
なお、上記実施形態では、切り換えボタン４０１を操作する度に、図４（ａ）→図４（ｂ）→図４（ｃ）→図４（ａ）…と表示形態がループするものとした。しかし、表示メニューからダイレクトにその表示種別の１つを指定し、それに従って表示を行ってもよいので、上記例で本発明が限定されるものではない。
【００６１】
＜アイコン操作＞
図７（ａ）は、ある画像のサムネイル（左上に配置されたサムネイル）を指定（選択）した際の表示画面例を示している。指定（選択）方法は、操作部１０５に設けられた上下左右キーを操作して、選択先を切り換える方法でもよいし、表示部１０６上に設けられたタッチパネルを介して、サムネイルの表示領域へのタッチを検知することで選択先を切り替える方法でもよい。また、マウス等のポインティングデバイスに連動するカーソルの位置が、該当するサムネイル（もしくはサムネイル上のアイコン）に位置した状態を、指定（選択）状態としてもよい。いずれにしても、あるサムネイル（Ｉｍａｇｅ１）が指定されると、その測位情報部の詳細情報７００が表示される。図７（ａ）の場合の詳細情報７００には、衛星の信号より取得した位置情報の他、測位に利用した衛星の種類や数といった、衛星による測位に関する情報が表示される。
【００６２】
なお、詳細情報７００の表示は、サムネイルの指定をトリガにするのではなく、そのサムネイル上の衛星アイコン部のクリック操作の検出、或いは、衛星アイコン上にマウスカーソルなどのポインタが位置したことの検知をトリガにしてもよい。この場合には、衛星アイコン以外の部分をクリックすれば、画像データ自体を選択可能である。これらは他のアイコンに関しても同様である。
【００６３】
なお、マウスのダブルクリックや、タッチパネルのダブルタップ等、アイコンに対してよりレベルの高い指定が受け付けられた場合には、例えば図７（ｂ）のように、その画像のメタデータに関する詳細表示の画面に遷移してもよい。これに対し、アイコン以外の画像の領域が指定されれば、図７（ｃ）のように、その画像の一枚表示の画面に遷移する。これによって、ユーザは簡単に所望の画面に遷移することができる。なお、図７（ｂ）や図７（ｃ）のような一つの画像に関する画面と、図７（ａ）のような複数の画像が列挙された画面との切替は、例えば操作部１０５に含まれる表示に関するボタン（いわゆるＤＩＳＰ．ボタン）を押下することで行ってもよい。この場合、表示に関するボタンが押下される度に、図７の画面を順に切り替える。なお、このボタンでの切り替えの機能は、アイコンでの切り替えの機能と併せて搭載することも可能である。
【００６４】
図８（ａ）は、指定したサムネイルが無線ＬＡＮアイコンを有する場合の表示画面の例を示している。図８（ａ）の例では、Ｉｍａｇｅ８の測位情報部の詳細情報７０１が表示されている。詳細情報８０１には、緯度・経度の他、無線ＬＡＮのアクセスポイントのアドレスなど、無線ＬＡＮによる測位に関する情報が表示される。
【００６５】
図８（ｂ）は、指定したサムネイルが手動アイコンを有する場合の表示画面を示している。図８（ｂ）の例では、画像ファイル「Ｉｍａｇｅ７」の測位情報部の詳細情報８０２が表示されている。詳細情報８０２には、緯度・経度の他、位置情報が画像データに付与された時間が表示される。
【００６６】
図８（ｃ）は、指定したサムネイルがピンアイコンを有する場合の表示画面を示している。図８（ｃ）の例では、画像ファイル「Ｉｍａｇｅ３」の測位情報部の詳細情報８０３が表示されている。測位方式情報がないことを示すピンアイコンには緯度・経度情報が表示される。
【００６７】
図９は、アイコンを編集するための画面である。例えば、衛星アイコン上にカーソルを移動させてマウスの右クリックする、衛星アイコンの表示領域に一定時間以上タッチする、などの所定の操作を行うことに応じて、制御部１０１は、複数の編集項目を有する編集メニュー９００を表示する。この編集メニュー９００には、衛星アイコンの詳細情報や測位方式情報を編集するための、「コピー」、「追加」、「削除」という３つの編集項目が用意されている。いずれかの編集項目が指定されると、制御部１０１は指定した編集項目に従い編集処理を実行する。例えば、「コピー」を選択すると、右クリックした衛星アイコンの画像データに記録されている地点情報、ＧＰＳ衛星数、測位信頼性等の詳細情報及び、測位方式を一時記憶用メモリ（一般にクリップボードと呼ばれる）にコピーすることができる。「削除」を選択すると、画像データに記録されている位置情報、衛星数、測位信頼性等の詳細情報及び、測位方式を削除し、アイコンを表示画面から削除することができる。「追加」を選択すると、追加を選択する前に別画像データのアイコンの編集メニューでコピーを選択していた場合に限り、コピー元である前記別画像データの詳細情報及び、測位方式をコピー先画像データに追加する。なお、詳細情報は必ずしもすべて追加する必要はなく、例えば測位方式情報のみを追加するようにしてもよい。
【００６８】
また、コピー元である前記別画像データの測位方式を示すアイコンを、コピー先画像データ上に追加で表示する。なお、コピー先画像データに追加する詳細情報は、Ｅｘｉｆ２．３のタグの１つであるＭａｋｅｒＮｏｔｅに記録されるものとする。コピー先画像データに追加する測位方式は、ＧＰＳＰｒｏｃｅｓｓｉｎｇＭｅｔｈｏｄタグの１つ目に記録され、追加前にコピー先画像データに元々記録されていた測位方式は、２つ目に再記録される。そしてアイコン表示が変更され、前述の通り、寄与度の高い測位方式を示すアイコンと、寄与度の低い測位方式を示すより小さなアイコンとが表示される。
【００６９】
上述の内容は衛星アイコンを例にとって説明を行なったが、無線アイコン、手動アイコン、ピンアイコンを右クリックした際にも同様の編集用メニューが表示されるものとする。また、何らかのアイコンの情報をコピーした状態で、アイコンが表示されていない画像データ上で右クリックが行われると、「追加」のみが編集用メニューとして表示される。ここで「追加」が選択されると、右クリックされた画像データに地点情報及び測位方式情報などの詳細情報を追加する。詳細情報は必ずしもすべて追加する必要はなく、例えば測位方式情報のみを追加するようにしてもよい。
【００７０】
以上述べたように、本実施形態では画像データの属性情報として記述されている測位方式情報を参照することにより、単に画像の測位情報があるか否かだけでなく、その測位方式の種別を示すアイコンをサムネイル画像に重畳表示することとした。このように、同一画面に画像と測位方式の種別を示すアイコンとが表示されていることで、ユーザは画像データがどのような測位方式で地点情報を得たのかを容易に認識することができる。
【００７１】
［第２の実施形態］
上記実施形態では、画像ファイルの属性情報に記述された最初の測位情方式に基づきサムネイル上に、その測位情報の種別を示すアイコンを重畳して表示した。本第２の実施形態では、２つ目の測位方式情報があった場合には、それも併せて表示する例を説明する。
【００７２】
本第２の実施形態における画像一覧の表示例を示すのが図１０である。図１０の場合、左上隅に位置する画像ファイルが、測位方式情報として２つ、すなわち、ＧＰＳとＷＬＡＮによる測位された場合を示している。そして、最初の測位方式「ＧＰＳ」が第１のサイズのアイコンで、２つ目の測位方式「ＷＬＡＮ」が第１のサイズよりも小さい第２のサイズのアイコンで、サムネイルに重畳して表示している。２つ目の測位方式のアイコンを小さくするのは、サムネイル画像の隠れる領域を小さくためである。
【００７３】
図１０の表示画面が第１の実施形態における図４（ｃ）に代わる表示例とする場合、制御部１０１が実行する図５のＳ５０８は、図１１に示すフローチャートに従った処理を行えばよい。なお、図１１のフローチャートにおけるＳ１１０１〜Ｓ１１１３は、図６のＳ６０１〜Ｓ６１３と同様の処理が実行される。以下、本実施形態特有の動作であるＳ６１４以降の処理を説明する。
【００７４】
なお、Ｓ６１３までの処理で、既に測位方式のアイコンがサムネイル画像に重畳表示していることに注意されたい。
【００７５】
Ｓ１１１４では、制御部１０１は、着目画像ファイルの測位情報部を解析し、２つの目の測位方式が記録されているか否かを判定する。２つの目の測位方式が記録されていると判断した場合はＳ１１１５に進む。また、Ｓ１１１４にて、２つの目の測位方式が記録されていないと判断した場合は、処理（Ｓ５０８の処理）を終了し、図５のフローチャートのＳ５０９に処理を進める。
【００７６】
Ｓ１１１５では、２つ目の測位方式情報が「ＧＰＳ」か否か、つまり測位方式が衛星を用いたものであるか否かを判断する。「ＧＰＳ」であると判断した場合はＳ１１１６に進む。
【００７７】
Ｓ１１１６では、制御部１０１は、測位に用いた衛星の数を読み出し、準天頂衛星が測位に用いられているか否かを判断する。本実施形態の場合では、ここではＱＺＳＳ衛星、またはコンパス衛星が用いられているか否かを判断する。
【００７８】
Ｓ１１１６にて制御部１０１が、準天頂衛星が測位に用いられていると判断した場合、処理はＳ１１１７に進む。Ｓ１１１７では、制御部１０１は、準天頂衛星のうち、測位に用いた衛星の数が最も多い衛星の種類を、最も優先して表示すべき衛星の種類として決定する。
【００７９】
一方、Ｓ１１１６にて制御部１０１が、準天頂衛星が測位に用いられていないと判断した場合、処理はＳ１１１８に進む。Ｓ１１１８では、制御部１０１は、測位に用いた衛星の数が最も多い衛星の種類を、最も優先して表示すべき衛星の種類として決定する。
【００８０】
Ｓ１１１７またはＳ１１１８の処理が完了すると、処理はＳ１１１９に進む。Ｓ１１１９では、制御部１０１は、決定した衛星の種類を示すアイコンを、既に表示されている１つ目の測位方式のアイコンの近傍（図１０の例では１つ目のアイコンの下の領域）に、その１つ目のアイコンよりも小さなサイズで重畳表示し、本処理を終了する。
【００８１】
また、Ｓ１１１５にて制御部１０１が、「ＧＰＳ」でないと判断した場合、処理はＳ１１２０に進む。Ｓ１１２０では、制御部１０１は画像データの１つ目の測位方式情報が「ＷＬＡＮ」か否か、つまり画像データの１つ目の測位方式が無線ＬＡＮを用いたものであるか否かを判断する。Ｓ１１２０で「ＷＬＡＮ」であると判断した場合は、処理をＳ１１２１に進める。Ｓ１１２１では、無線アイコンを、既に表示されている１つ目の測位方式のアイコンの近傍に、その１つ目のアイコンよりも小さなサイズで重畳表示し、本処理を終了する。一方、Ｓ１１２０にて、「ＷＬＡＮ」でないと判断した場合は、制御部１０１は処理をＳ１１２２に進める。
【００８２】
Ｓ１１２２では、制御部１０１は画像データの１つ目の測位方式情報が「ＭＡＮＵＡＬ」か否か、つまり画像データの地点情報が手動で付与されたものであるか否かを判断する。Ｓ１１２２で「ＭＡＮＵＡＬ」であると判断した場合は、Ｓ１１２３に進む。Ｓ１１２３では、手動アイコンを、既に表示されている１つ目の測位方式のアイコンの近傍に、その１つ目のアイコンよりも小さなサイズで重畳表示し、本処理を終了する。また、Ｓ１１２２にて、「ＭＡＮＵＡＬ」でないと判断した場合は、制御部１０１は処理をＳ１１２４に進める。
【００８３】
Ｓ１１２４では、制御部１０１は着目画像ファイルの１つ目の測位方式情報が「ＣＥＬＬＩＤ」か否か、つまり画像データの地点情報が携帯電話の基地局を用いて付与されたものであるか否かを判断する。「ＣＥＬＬＩＤ」であると判断した場合は、Ｓ１１２５に進む。Ｓ１１２５では、セルアイコンを、既に表示されている１つ目の測位方式のアイコンの近傍に、その１つ目のアイコンよりも小さなサイズで重畳表示し、本処理を終了する。また、Ｓ１１２４で「ＣＥＬＬＩＤ」でないと判断した場合は、本処理を終了する。なお、Ｓ１１２４でＮｏと判断された場合、何らかの不明なデータ（もしくは未知の測位情報）が測位方式情報に記述されていると考えられる。この場合は地点情報自体は記述されているため、継続してピンアイコンを表示するとか、或いは、不明な測位情報であることを示すアイコンを重畳表示する。
【００８４】
以上が、本第２の実施形態における測位方式に応じたアイコンを各画像データのサムネイル画像上に表示する処理である。
【００８５】
なお、第２の実施形態での図１０の表示画面は、図４（ｃ）に置き換わる例として説明したが、図４（ｃ）の画面にて、表示切り換えボタン４０１を操作した際の次に表示される画面としても構わない。
【００８６】
［第３の実施形態］
上記実施形態では、画像ファイルの属性情報に記述された測位方式の種類に応じて異なるアイコンを表示させることについて説明した。第３の実施形態では、測位方式が衛星を用いたものである場合に、どの種類の衛星を何機利用したのかを把握可能な態様で表示する画面に切り替えることについて説明する。
【００８７】
図１２（ａ）、（ｂ）は、本実施形態における衛星アイコンの表示態様のバリエーションを示す図である。図１２（ａ）では、測位に利用した衛星のアイコンを全て列挙する表示態様である。このとき、利用した数が最も多い衛星の種類を大きなアイコンで表示する。なお、それ以外の衛星の種類については小さなアイコンで表示するが、例えば、利用した数に応じてアイコンサイズを変更してもよい。具体的には、利用した数が多いほど大きなアイコンで表示する。あるいは、利用した数に応じて表示される順番（位置）を変更してもよい。具体的には、利用した数が多いほど上に表示される。また、図１２（ｂ）では、測位に利用した衛星の数を表示する表示態様である。このとき、利用した数が多い順に列挙する。
【００８８】
なお、図１２（ａ）や図１２（ｂ）の画面には、例えば図４（ｃ）の画面にて、表示切り替えボタン４０１を操作した際の次に、ボタン４０１が操作される度に順に表示されるようにしてもよい。また、例えば図４（ｃ）の画面にて表示切り替えボタン４０１のダブルクリック、ダブルタッチ、一定時間以上のタッチなど、表示切り替えボタン４０１がより高いレベルの指定の仕方で指定された場合に切り替わるようにしてもよい。このようにした場合は、高いレベルの指定毎に図１２（ａ）と図１２（ｂ）とを切り替えるようにし、低いレベルの指定が受け付けられたならば、図４（ａ）の画面に戻る、または図１２（ａ）や図１２（ｂ）に遷移する前の画面に戻るようにする。このように、低いレベルの指定による表示態様の切り替わりのループに図１２（ａ）や図１２（ｂ）を含まないようにすることで、詳細までは不要と考えるユーザが所望の表示態様に辿りつくまでの操作手順を削減することができる。しかも、詳細が必要なユーザには、簡単な操作でより詳細な情報を提供することができる。
【００８９】
［第４の実施形態］
以下、図１３を参照して、本発明の第４の実施例による、画像ファイル詳細情報と、撮影位置を示す地図表示の例について説明する。
【００９０】
ユーザが地図表示モードに設定することによって、画像の撮影位置を含む地図画像データが表示される。なお、ここで表示される画像は、デフォルトで表示される地図の範囲内を示す位置情報が対応づけられている画像であり、表示の開始に伴って記録媒体１１０から検索される。あるいは、例えば再生モードで選択していた画像を中心とした所定の範囲の地図を表示し、再生モードで選択していた画像の撮影位置を示す表示モードとしてもよい。
【００９１】
地図表示の一例を図１３に示す。図１３では、地図上に、ピンのアイコンを表示することで撮影位置を表している。同時に、ピンの表示から吹き出し１３０１を表示し、その中に、撮影画像と、撮影画像に付随する画像詳細情報を表示している。なお、この吹き出し１３０１は、ピンのクリック、ダブルクリック、タッチ、ダブルタッチ、一定時間以上のタッチ等、何らかのユーザの指示に応じて表示させるようにしてもよい。
【００９２】
画像詳細情報の表示部分には、実施例２と同様に、ＧＮＳＳ衛星によって測位された、撮影位置情報を表示している。この部分において、上から、緯度、経度、高度を表示し、次に、測位に使用した衛星の種類、および、衛星の種類毎の衛星数を表示している。一番下には、測位日、測位時刻（ＵＴＣ時刻）を表示している。
【００９３】
これによって、ユーザは撮影位置情報とともに、測位に使用した衛星の種類、および、衛星の種類毎の衛星数を認識することができる。地図情報を同時に表示することで、撮影位置情報が、実際の位置からずれていたとしても、ユーザは実際に撮影した場所を容易に思い出すことができる。このとき、衛星の種類や衛星数があれば、実際に撮影した位置がどの程度ずれているか容易に想像することができ、撮影位置を思い出すときに有用である。
【００９４】
以上述べてきたように、本発明によれば、位置情報を含む画像ファイルについては衛星種類と衛星種類毎の衛星数を識別可能な形式で表示するため、撮影した位置情報の精度や信憑性を容易に推定することを可能にした、画像表示装置を提供できる。
【００９５】
［その他の実施形態］
上述の実施形態では、衛星を用いて測位した場合の測位方式情報としては、衛星を用いていることがわかればどのような情報でもかまわないとし、一例としてＧＰＳという文字列を記録する場合を例に挙げて説明した。これについては、例えば測位方式情報に「ＧＰＳ」、「ＱＺＳ」、「ＧＬＯ」など、測位に最も寄与した衛星の種類を示す情報を記録してもよい。また、「ＱＺＳ  ＧＰＳ」のように、複数の種類を記録してもよい。もちろん「ＷＬＡＮ  ＱＺＳ  ＧＰＳ」のように、種類が異なる測位方式も含めて複数記録してもよい。このようにした場合、例えば先に記録されている情報ほど測位に寄与したものであることを示すものとする。「ＱＺＳ  ＧＰＳ」の場合はみちびきが測位に寄与したものであり、「ＷＬＡＮ  ＱＺＳ  ＧＰＳ」ならばアクセスポイントからの情報が測位に寄与したものと判断される。
【００９６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2015152398.tif 000003
【図２】
2015152398.tif 000004
【図３】
2015152398.tif 000005
【図４】
2015152398.tif 000006
【図５】
2015152398.tif 000007
【図６】
2015152398.tif 000008
【図７】
2015152398.tif 000009
【図８】
2015152398.tif 000010
【図９】
2015152398.tif 000011
【図１０】
2015152398.tif 000012
【図１１】
2015152398.tif 000013
【図１２】
2015152398.tif 000014
【図１３】
2015152398.tif 000015